(57)【要約】【課題】画質調整値の設定作業を効率化することが可能な映像表示装置を提供すること。【解決手段】互いに異なる映像信号が入力される複数の映像入力部（２０２、２０４、２０６、２０８）と、前記映像信号が表示される表示部（１２２）と、個々の前記映像入力部（２０２、２０４、２０６、２０８）から入力される映像信号の表示設定に関する設定情報を前記表示部（１２２）に一覧表示させる表示制御部（２１０）とを備える、映像表示装置が提供される。【選択図】図５
2010114633.tif 000002
【特許請求の範囲】
【請求項１】
互いに異なる映像信号が入力される複数の映像入力部と、
前記映像信号が表示される表示部と、
個々の前記映像入力部から入力される映像信号の表示設定に関する設定情報を前記表示部に一覧表示させる表示制御部と、
を備える、映像表示装置。
【請求項２】
前記設定情報には、複数の設定項目が設けられており、
前記映像表示装置は、個々の前記映像入力部又は所定の表示モードに対応付けて前記設定項目の並び順が記録された並び順テーブル記憶部をさらに備え、
前記表示制御部は、前記表示部に一覧表示された設定情報の１つが選択された場合、又は所定の表示モードが選択された場合に、前記並び順テーブル記憶部に記録された並び順に基づいて前記複数の設定項目を並び替える、請求項１に記載の映像表示装置。
【請求項３】
前記映像表示装置は、基準となる前記設定情報が決定された場合に、当該基準となる設定情報との間の相違度が大きい設定情報を検出する相違設定検出部をさらに備え、
前記表示制御部は、前記相違設定検出部により検出された設定情報を前記基準となる設定情報に並べて前記表示部に一覧表示させる、請求項１に記載の映像表示装置。
【請求項４】
前記相違設定検出部は、ユーザにより前記表示部に一覧表示された前記設定情報の１つが選択された場合に、当該選択された設定情報を前記基準となる設定情報として前記相違度が大きい設定情報を検出する、請求項３に記載の映像表示装置。
【請求項５】
前記相違設定検出部は、所定の表示モードが選択された場合に、当該表示モードに対応付けられた設定情報を前記基準となる設定情報として前記相違度が大きい設定情報を検出する、請求項３に記載の映像表示装置。
【請求項６】
前記表示部に一覧表示された前記設定情報の中から選択された一の前記設定情報を他の前記設定情報に上書きする設定情報複製部をさらに備え、
前記設定情報複製部は、複製元である前記一の設定情報、及び複製先である前記他の設定情報が選択された場合に、前記一の設定情報に含まれる全ての設定項目の情報を前記他の設定情報に含まれる設定項目に上書きする、請求項２に記載の映像表示装置。
【請求項７】
前記表示部に一覧表示された前記設定情報の中から選択された一の前記設定情報を他の前記設定情報に上書きする設定情報複製部をさらに備え、
前記設定情報複製部は、複製元である前記一の設定情報、及び複製先である前記他の設定情報が選択され、さらに前記一の設定情報に含まれる一部の設定項目が選択された場合に、前記一の設定情報に含まれる設定項目のうち、選択された当該設定項目の情報を前記他の設定情報に含まれる設定項目に上書きする、請求項２に記載の映像表示装置。
【請求項８】
前記表示制御部は、２つの前記映像入力部に対応する設定情報が選択された場合に、１つの当該設定情報を変更するための設定変更画面と、当該設定変更画面で変更された設定情報に基づく映像信号が表示される変更後映像画面と、設定変更前の当該映像信号が表示される変更前映像画面と、前記１つの設定情報とは異なる前記設定情報に基づく映像信号が比較対象として表示される比較映像画面と、を前記表示部に一覧表示させる、請求項１に記載の映像表示装置。
【請求項９】
互いに異なる映像信号が入力される複数の映像入力部に映像が入力されるステップと、
個々の前記映像入力部から入力される映像信号の表示設定に関する設定情報が表示画面に一覧表示される表示ステップと、
を含む、設定情報の表示方法。
【発明の詳細な説明】
【技術分野】
【０００１】
本発明は、映像表示装置、及び設定情報の表示方法に関する。
【背景技術】
【０００２】
近年、薄型で大画面のテレビジョン受像機やディスプレイ装置等（以下、映像表示装置）が広く普及してきている。その一因として、映像表示装置に使われる表示パネルや演算処理チップ等の値段が低下して映像表示装置自体の価格が下がり、薄型で大画面の映像表示装置がユーザに手に入りやすくなったことが挙げられる。また、薄型の映像表示装置は、従来のＣＲＴ（Ｃａｔｈｏｄｅ  Ｒａｙ  Ｔｕｂｅ）表示装置に比べて設置面積が小さくて済む。そのため、大画面であっても設置場所に困らないという利点がある。こうした理由から、大画面の映像表示装置が広く普及するに至ったものと考えられる。また、近年デジタル化・高機能化が進んでおり、従来のように放送波や光ディスク再生装置だけでなく、フラッシュメモリー内やネットワーク上のコンテンツなど、数多くのソースを扱うことが出来るようになっている。
【０００３】
まず、大画面の映像表示装置が普及してきたことにより、広い表示領域に多くの映像を表示させ、相互に映像を比較参照する技術に注目が集まっている。例えば、下記の特許文献１には、表示画面を分割して利用する例が記載されている。同文献１の技術は、分割された表示画面の各々において画質の調整を行う技術に関するものである。また、下記の特許文献２には、入力画像を複数枚の部分画像に分割してマルチ画面を形成し、個々の部分画像に対して画質調整を行った後に一画面に並べて配置する技術が記載されている。
【０００４】
【特許文献１】特開２００２−１２０３５０号公報
【特許文献２】特開２００６−３１１２９６号公報
【発明の開示】
【発明が解決しようとする課題】
【０００５】
このように、上記の各文献には、大画面をうまく利用して画質や音質の調整を効率的に行うための方法が記載されている。しかしながら、映像表示装置に複数の映像ソースから入力される映像の画質調整を効率的に行う技術については開示されていない。前述したように、最近では、映像表示装置に入力される映像の種類は非常に多様化している。例えば、ユーザは、地上アナログ放送、地上デジタル放送、ＢＳ放送、ＣＳ放送等を容易に視聴できる環境にある。さらに、映像表示装置に録画再生装置や光ディスクの再生装置等が接続されていると、映像表示装置には、これらの外部装置からも映像が入力されることになる。
【０００６】
このように映像の入力元が異なると、同じ画質設定がされていても見え方が異なることが多い。そのため、ユーザには、個々の入力元について画質設定を行うことが求められる。また、上記のように多数の入力元が存在するため、ユーザは、入力元毎に設定画面を切り替えながら設定を行う必要がある。その結果、ユーザは、面倒な入力元毎の設定を諦めてしまい、適切ではない画質調整値のまま映像を視聴するか、もしくは各々の入力元毎に、統一性のないバラバラな調整値で視聴することにつながる。また、ユーザは、１つの入力元に対する画質設定が済むと、全ての入力元に対して画質の設定が済んだものと勘違いしてしまうことがある。このような場合にも、ユーザは、適切ではない画質設定のまま映像を視聴することになる。こうした理由から、大画面を利用し、複数の入力元に対する画質調整値を簡単な操作で効率良く設定できるようにする工夫が求められている。
【０００７】
そこで、本発明は、上記問題に鑑みてなされたものであり、本発明の目的とするところは、異なる複数の入力元に対応する設定情報の認識及び入力を効率化することが可能な、新規かつ改良された映像表示装置、及び設定情報の表示方法を提供することにある。
【課題を解決するための手段】
【０００８】
上記課題を解決するために、本発明のある観点によれば、互いに異なる映像信号が入力される複数の映像入力部と、前記映像信号が表示される表示部と、個々の前記映像入力部から入力される映像信号の表示設定に関する設定情報を前記表示部に一覧表示させる表示制御部と、を備える、映像表示装置が提供される。
【０００９】
また、前記設定情報には、複数の設定項目が設けられていてもよい。この場合、前記映像表示装置は、個々の前記映像入力部又は所定の表示モードに対応付けて前記設定項目の並び順が記録された並び順テーブル記憶部をさらに備えていてもよい。そして、前記表示制御部は、前記表示部に一覧表示された設定情報の１つが選択された場合、又は所定の表示モードが選択された場合に、前記並び順テーブル記憶部に記録された並び順に基づいて前記複数の設定項目を並び替えるように構成されていてもよい。
【００１０】
また、前記映像表示装置は、基準となる前記設定情報が決定された場合に、当該基準となる設定情報との間の相違度が大きい設定情報を検出する相違設定検出部をさらに備えていてもよい。この場合、前記表示制御部は、前記相違設定検出部により検出された設定情報を前記基準となる設定情報に並べて前記表示部に一覧表示させる。
【００１１】
また、前記相違設定検出部は、ユーザにより前記表示部に一覧表示された前記設定情報の１つが選択された場合に、当該選択された設定情報を前記基準となる設定情報として前記相違度が大きい設定情報を検出するように構成されていてもよい。
【００１２】
また、前記相違設定検出部は、所定の表示モードが選択された場合に、当該表示モードに対応付けられた設定情報を前記基準となる設定情報として前記相違度が大きい設定情報を検出するように構成されていてもよい。
【００１３】
また、上記の映像表示装置は、前記表示部に一覧表示された前記設定情報の中から選択された一の前記設定情報を他の前記設定情報に上書きする設定情報複製部をさらに備えていてもよい。この場合、前記設定情報複製部は、複製元である前記一の設定情報、及び複製先である前記他の設定情報が選択された場合に、前記一の設定情報に含まれる全ての設定項目の情報を前記他の設定情報に含まれる設定項目に上書きする。
【００１４】
また、上記の映像表示装置は、前記表示部に一覧表示された前記設定情報の中から選択された一の前記設定情報を他の前記設定情報に上書きする設定情報複製部をさらに備えていてもよい。この場合、前記設定情報複製部は、複製元である前記一の設定情報、及び複製先である前記他の設定情報が選択され、さらに前記一の設定情報に含まれる一部の設定項目が選択された場合に、前記一の設定情報に含まれる設定項目のうち、選択された当該設定項目の情報を前記他の設定情報に含まれる設定項目に上書きする。
【００１５】
また、前記表示制御部は、２つの前記映像入力部に対応する設定情報が選択された場合に、１つの当該設定情報を変更するための設定変更画面と、当該設定変更画面で変更された設定情報に基づく映像信号が表示される変更後映像画面と、設定変更前の当該映像信号が表示される変更前映像画面と、前記１つの設定情報とは異なる前記設定情報に基づく映像信号が比較対象として表示される比較映像画面と、を前記表示部に一覧表示させるように構成されていてもよい。
【００１６】
また、上記課題を解決するために、本発明の別の観点によれば、互いに異なる映像信号が入力される複数の映像入力部に映像が入力されるステップと、個々の前記映像入力部から入力される映像信号の表示設定に関する設定情報が表示画面に一覧表示される表示ステップと、を含む、設定情報の表示方法が提供される。
【００１７】
また、上記課題を解決するために、本発明の別の観点によれば、上記の映像表示装置が有する各構成要素の機能をコンピュータに実現させるためのプログラムが提供されうる。また、上記課題を解決するために、本発明の別の観点によれば、当該プログラムが記録されたコンピュータにより読み取り可能な記録媒体が提供されうる。
【発明の効果】
【００１８】
以上説明したように本発明によれば、異なる複数の入力元に対応する設定情報の認識及び入力を効率化することが可能になる。
【発明を実施するための最良の形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
［説明の流れについて］
ここで、以下に記載する本発明の実施形態に関する説明の流れについて簡単に述べる。まず、図１、図２を参照しながら、同実施形態が解決しようとする課題について整理する。次いで、図３を参照しながら、同実施形態に係る映像表示システムのシステム構成について説明する。次いで、図４を参照しながら、同実施形態に係る映像表示装置のハードウェア構成例について説明する。次いで、図５を参照しながら、同実施形態に係る映像表示装置の機能構成について説明する。この中で、図６〜図１６を適宜参照しながら、当該映像表示装置による設定情報の表示方法、及び映像表示方法について説明する。最後に、同実施形態の技術的思想について纏め、当該技術的思想から得られる作用効果について簡単に説明する。
【００２１】
（説明項目）
１：課題の整理
２：映像表示システムのシステム構成
３：映像表示装置１００のハードウェア構成例
４：映像表示装置１００の機能構成
５：設定情報の複製方法
６：設定情報の複製処理の流れ
７：設定情報の微調整方法
８：まとめ
【００２２】
［１：課題の整理］
まず、本発明の一実施形態に係る技術について詳細な説明をするに先立ち、同実施形態が解決しようとする課題について簡単に纏める。
【００２３】
まず、図１を参照する。近年、テレビジョン受像機等のデジタル放送機器には、複数の放送波を受信することが可能な受信チューナが内蔵されている。また、こうしたデジタル放送機器には、録画再生装置や光メディアの再生装置等が接続できるように外部機器の接続端子が設けられている。そのため、ユーザは、こうした複数の映像ソース（以下、入力元）から入力される映像信号や音声信号（以下、単に映像と言う。）を視聴することができる。例えば、ユーザは、１台のデジタル放送機器を用いて地上デジタル放送の番組とＢＳデジタル放送の番組とを視聴することができる。
【００２４】
通常、ユーザは、映像を視聴する際又は視聴前に画質や音質等の調整を行う。例えば、色合い、シャープネス、コントラスト、サウンド効果等の調整が行われる。しかしながら、上記のように多数の入力元が存在すると、多くの調整値を設定する必要が生じ、ユーザに大きな負担を与えてしまう。また、入力元（チャンネル）が切り替えられた場合に、切り替え前後で現れる画質の違いがデジタル放送機器の側における調整値の違いに起因するものか、入力元の違いに起因するものかが分かりにくい。一方で、全ての調整値を一括して設定できるようにしてもその調整値がその他の入力元に対して適切な値かどうかはわからず、一部の入力元から入力される映像の品質が低下してしまうことがある。
【００２５】
例えば、図１に示すように、入力元を地上デジタル放送からＢＳデジタル放送に切り替える場合について具体的に考えてみよう。図１の例では、デジタル放送機器の側で地上デジタル放送の設定情報として、「明るさ＝７０、ノイズリダクション＝ＯＮ」という値が設定されているものとする。また、ＢＳデジタル放送の設定情報として、「明るさ＝５０、ノイズリダクション＝ＯＦＦ」という値が設定されているものとする。つまり、図１に例示したデジタル放送機器は、個々の入力元に対して調整値が設定されるタイプのものである。例えば、地上デジタル放送が表示されているときに、ユーザが満足できる画質が得られていると仮定する。また、入力元がＢＳデジタル放送に切り替えられた後、ユーザが満足できる画質が得られなくなったものと仮定する。
【００２６】
この場合、放送番組を視聴しているユーザは、チャンネル切り替え後に画質が低下した原因について、デジタル放送機器の画質調整値に起因するものであれば、画質調整値を適切な値に再調整したいと考えるであろう。ところが、従前の設定画面は、図２に示すように、個々の入力元に対応する設定情報のみが表示されるように構成されている。例えば、表示画面を変更することで他の入力元に対応する設定情報が表示されるように構成されている。従って、地上デジタル放送の調整値とＢＳデジタル放送の調整値とを比較するには、画面に表示された地上デジタル放送の調整値をメモし、画面を切り替えて、メモした値と画面上のＢＳデジタル放送の調整値とを比較する必要がある。
【００２７】
ユーザは上記の面倒な比較作業を行わず、画質の低いままＢＳデジタル放送を視聴してしまう。結果として、地上デジタル放送からＢＳデジタル放送に切り替えた際に発生した映像品質の低下がデジタル放送機器の画質調整値に起因するものなのか、入力元毎に異なる映像配信技術に起因するものかを判別することすら難しくなる。また、図２に示すような設定画面構成にすると、地上デジタル放送の設定情報を参照しながらＢＳデジタル放送の画質調整値を設定することは不可能である。しかし、同じ伝送方式で映像信号が伝送される入力元に対しては同じ画質調整値に設定されることが多い。また、複数の入力元に対して同じ画質調整値を設定した後で、一部の入力元に対応する画質調整値のみを微調整したいという場合もある。
【００２８】
こうした理由から、複数の入力元に対応する設定情報を容易に比較対照できるようにする表示技術が求められている。後述する実施形態においては、複数の入力元に対応するデジタル放送機器において、異なる入力元の設定情報を容易に比較できるように複数の設定情報を一覧表示する技術が提案される。さらに、この一覧表示された設定情報を複製したり、一部の設定情報を容易に微調整できるようにする技術が提案される。
【００２９】
＜実施形態＞
本発明の一実施形態について説明する。本実施形態は、複数の入力元に対応する画質調整値等の設定情報を効果的にユーザに提示する技術に関する。特に、複数の設定情報をユーザが容易に比較できるようにする表示方法に関する。また、同実施形態においては、その比較結果に基づいて設定情報を効率的に編集できるようにするユーザインターフェース及び編集処理方法が提案される。
【００３０】
［２：映像表示システムのシステム構成］
まず、図３を参照しながら、本実施形態に係る映像表示システムのシステム構成について説明する。図３は、本実施形態に係る映像表示システムのシステム構成例を示す説明図である。なお、図３に例示した外部機器は一例であり、映像表示システムに含まれる外部機器の構成はこれに限定されない。
【００３１】
図３に示すように、この映像表示システムには、映像表示装置１００と、録画再生装置１０と、映像再生装置２０と、メモリ３０とが含まれる。但し、録画再生装置１０、映像再生装置２０、及びメモリ３０は外部機器の一例である。
【００３２】
まず、外部機器について説明する。
【００３３】
録画再生装置１０は、各種の放送波を受信して映像信号を録画したり、録画した映像信号を出力する装置である。例えば、録画再生装置１０には、光記録装置、光磁気記録装置、磁気記録装置、又は半導体記録装置等が搭載されている。そして、これらの記録装置に映像信号が記録される。また、録画再生装置１０は、映像表示装置１００に接続されており、映像表示装置１００に映像信号を伝送することができる。映像表示装置１００と録画再生装置１０との間は、例えば、ＨＤＭＩケーブルで接続されている。なお、上記のＨＤＭＩは、Ｈｉｇｈ−Ｄｅｆｉｎｉｔｉｏｎ  Ｍｕｌｔｉｍｅｄｉａ  Ｉｎｔｅｒｆａｃｅの略語である。録画再生装置１０から映像表示装置１０に映像信号が伝送されると、その映像信号は映像表示装置１００に表示される。
【００３４】
映像再生装置２０は、光ディスクドライブやメモリリーダ等を介して光ディスクや半導体メモリ等に記録された映像データを読み出し、その映像データに対応する映像信号を出力する装置である。光ディスクとしては、例えば、ＤＶＤメディアやＢｌｕ−ｒａｙメディア等が用いられる。なお、上記のＤＶＤは、Ｄｉｇｉｔａｌ  Ｖｅｒｓａｔｉｌｅ  Ｄｉｓｃの略語である。また、映像再生装置２０は、録画再生装置２０と同様に映像表示装置１００に接続されている。そのため、映像再生装置２０から出力された映像信号は、映像表示装置１００に伝送される。映像再生装置２０から映像表示装置１００に映像信号が伝送されると、その映像信号は映像表示装置１００に表示される。
【００３５】
映像表示装置１００には、メモリ３０を接続することが可能なメモリスロットやＵＳＢ端子等が搭載されている。なお、上記のＵＳＢは、Ｕｎｉｖｅｒｓａｌ  Ｓｅｒｉａｌ  Ｂｕｓの略語である。メモリ３０には、画像データや映像データ等が記録される。そのため、メモリ３０が映像表示装置１００に接続されると、メモリ３０から画像データや映像データ等が読み出され、映像表示装置１００の画面上に表示される。また、映像表示装置１００には、ＤＬＮＡ等のネットワークを介して接続された外部機器から映像データが入力される。なお、上記のＤＬＮＡは、Ｄｉｇｉｔａｌ  Ｌｉｖｉｎｇ  Ｎｅｔｗｏｒｋ  Ａｌｌｉａｎｃｅの略語である。
【００３６】
次に、映像表示装置１００について説明する。
【００３７】
上記の通り、映像表示装置１００には、複数の外部機器が接続される。また、映像表示装置１００には、地上デジタル放送信号やＢＳデジタル放送信号等が入力される。もちろん、映像表示装置１００は、ＣＳデジタル放送信号や地上アナログ放送信号、或いは、ケーブルテレビジョン放送信号等が入力されるように構成されていてもよい。このように、映像表示装置１００の入力元としては、放送波の配信元、複数の外部機器、及びネットワークで接続された外部機器等が存在する。
【００３８】
本実施形態は、このように多数の入力元が存在する状況において、個々の入力元に対応する設定情報を効率的に設定できるようにする技術に関するものである。特に、映像表示装置１００における設定画面の表示制御方法に関する。以下では、図３に示した映像表示システムのシステム構成を意識しつつ、映像表示装置１００の技術的構成について詳細な説明を行う。但し、本実施形態に係る技術の適用範囲は、図３に例示したシステム構成に限定されるものではない。図３に示したシステム構成は一例である点に注意されたい。
【００３９】
［３：映像表示装置１００のハードウェア構成例］
まず、図４を参照しながら、本実施形態に係る映像表示装置１００のハードウェア構成例について説明する。後述する映像表示装置１００の機能構成は、例えば、図４に示すハードウェア構成により実現される。図４は、本実施形態に係る映像表示装置１００のハードウェア構成例を示す説明図である。
【００４０】
図４に示すように、映像表示装置１００は、複数の受信回路１０２、１０４と、複数のデマルチプレクサ１０６、１１０と、デスクランブル部１０８とを有する。さらに、映像表示装置１００は、オーディオ処理部１１２と、データ処理部１１４と、ビデオ処理部１１６と、ＯＳＤ回路１１８と、合成回路１２０とを有する。また、映像表示装置１００には、表示部１２２、及びコントローラ１２４も搭載されている。なお、上記のＯＳＤは、Ｏｎ  Ｓｃｒｅｅｎ  Ｄｉｓｐｌａｙの略語である。
【００４１】
このように、映像表示装置１００には、２系統の受信回路１０２、１０４が設けられている。また、各系統の受信回路１０２、１０４に合わせて２つのデマルチプレクサ１０６、１１０が設けられている。例えば、受信回路１０２は、放送番組に関するデータ情報等の付加情報信号を受信するための回路である。一方、受信回路１０４は、放送番組の映像データや音声データに対応する番組放送信号を受信するための回路である。図４に示すように、受信回路１０２は、チューナ１３２と、復調部１３４と、誤り訂正部１３６とを含んでいる。同様に、受信回路１０４は、チューナ１４２と、復調部１４４と、誤り訂正部１４６とを含んでいる。
【００４２】
また、コントローラ１２４は、映像表示装置１００の制御処理を実行するための制御手段である。図４に示すように、コントローラ１２４には、ＣＰＵ１５２と、ＲＯＭ１５４と、ＲＡＭ１５６と、ＥＥＰＲＯＭ１５８と、ＤＲＡＭ１６０と、バス１６２とが含まれる。また、ＣＰＵ１５２、ＲＯＭ１５４、ＲＡＭ１５６、ＥＥＰＲＯＭ１５８、及びＤＲＡＭ１６０は、バス１６２を通じて接続されている。
【００４３】
なお、上記のＣＰＵは、Ｃｅｎｔｒａｌ  Ｐｒｏｃｅｓｓｉｎｇ  Ｕｎｉｔの略語である。また、上記のＲＯＭは、Ｒｅａｄ  Ｏｎｌｙ  Ｍｅｍｏｒｙの略語である。上記のＲＡＭは、Ｒａｎｄｏｍ  Ａｃｃｅｓｓ  Ｍｅｍｏｒｙの略語である。上記のＥＥＰＲＯＭは、Ｅｌｅｃｔｒｉｃａｌｌｙ  Ｅｒａｓａｂｌｅ  Ｐｒｏｇｒａｍｍａｂｌｅ  ＲＯＭの略語である。また、上記のＤＲＡＭは、Ｄｙｎａｍｉｃ  ＲＡＭの略語である。
【００４４】
さて、映像表示装置１００の電源がオンにされると、受信回路１０２を介して付加情報信号の受信処理が開始される。それと共に、映像表示装置１００は、受信回路１０４を介して番組放送信号の受信処理を開始する。付加情報信号及び番組放送信号が受信されると、映像表示装置１００は、これらの信号から映像信号、音声信号、及びデータ信号等をデコードし、表示部１２２及び音声出力部（非図示）に出力する。なお、音声出力部は、表示部１２２に内蔵されていてもよいし、表示部１２２とは別体であってもよい。以下、電源オンから表示部１２２に映像信号が出力されるまでの処理工程について説明する。
【００４５】
まず、映像表示装置１００に電源が投入されると、コントローラ１２４は、電源が遮断される直前まで受信していた番組放送信号の放送情報をＥＥＰＲＯＭ１５８から読み出して再び選局する。但し、電源が遮断された際に、電源を遮断する直前まで受信していた番組放送信号のチャンネル周波数やプログラムＩＤなどの放送情報がＥＥＰＲＯＭ１５８に保持されているものとする。コントローラ１２４により放送情報に基づいてチャンネル周波数が決定されると、受信回路１０４に対して当該チャンネル周波数を選局させるための選局制御信号が出力される。この選局制御信号は、受信回路１０４に含まれるチューナ１４２に入力される。
【００４６】
チューナ１４２は、コントローラ１２４から入力された選局制御信号に基づいて選局し、当該選局制御信号が示すチャンネル周波数の番組放送信号を受信する。チューナ１４２により受信された番組放送信号は、復調部１４４に入力される。復調部１４４は、入力された番組放送信号を復調する。番組放送信号は、例えば、６４ＱＡＭの多値変調方式で変調されている。そのため、復調部１４４は、同方式に基づいて番組放送信号を復調し、トランスポートストリーム信号を生成する。復調部１４４により生成されたトランスポートストリーム信号は、誤り訂正部１４６に入力される。
【００４７】
トランスポートストリーム信号が入力されると、誤り訂正部１４６は、入力されたトランスポートストリーム信号に誤り訂正を施す。トランスポートストリーム信号は、例えば、リード・ソロモン符号等により符号化されている。そこで、誤り訂正部１４６は、同符号化方式に基づいて誤り訂正処理を実行する。誤り訂正部１４６から出力された誤り訂正後のトランスポートストリーム信号は、デスクランブル部１０８に入力される。
【００４８】
誤り訂正後のトランスポートストリーム信号が入力されると、デスクランブル部１０８は、トランスポートストリーム信号に施されたスクランブルを解除する。このとき、デスクランブル部１０８は、コントローラ１２４から取得した情報に基づいてスクランブルを解除し、元の番組放送信号を再生する。デスクランブル部１０８によりスクランブルが解除されて再生された元の番組放送信号はデマルチプレクサ１１０に入力される。
【００４９】
ところで、番組放送信号には、映像信号、音声信号、及びデータ信号等が多重されている。そこで、デマルチプレクサ１１０は、番組放送信号が入力されると、その番組放送信号に含まれる映像信号、音声信号、及びデータ信号等を分離する。デマルチプレクサ１１０により分離された音声信号はオーディオ処理部１１２に入力される。また、デマルチプレクサ１１０により分離されたデータ信号はデータ処理部１１４に入力される。さらに、デマルチプレクサ１１０により分離された映像信号はビデオ処理部１１６に入力される。
【００５０】
オーディオ処理部１１２は、入力された音声信号に基づいて音声出力部に音声を出力させる。また、データ処理部１１４は、入力されたデータ信号に含まれる文字情報又は画像情報を表示部１２２に表示可能な映像信号に変換する。データ処理部１１４から出力された映像信号は、合成回路１２０に入力される。一方、ビデオ処理部１１６は、入力された映像信号に所定の処理を施して合成回路１２０に入力する。また、合成回路１２０には、ＯＳＤ回路１１８からＯＳＤ画像を表示部１２２に表示するための映像信号が入力される場合もある。
【００５１】
ＯＳＤ回路１１８は、コントローラ１２４による制御を受け、例えば、電子番組案内表や各種のガイダンスメッセージ等を表示するための映像信号を生成する。また、ＯＳＤ回路１１８は、画質や音声の設定画面を表示するための映像信号を生成する。上記の通り、ＯＳＤ回路により生成された映像信号は、合成回路１２０に入力される。合成回路１２０は、データ処理部１１４、ビデオ処理部１１６、及びＯＳＤ回路１１８から入力された映像信号を合成する。合成回路１２０により合成された映像信号は、表示部１２２に入力する。表示部１２２は、入力された映像信号を画面上に表示する。
【００５２】
以上、表示部１２２に映像が表示されるまでの処理工程について説明した。次に、受信回路１０２により受信される付加情報信号の処理工程について簡単に説明する。
【００５３】
上記の通り、コントローラ１２４は、番組放送信号を受信するために受信回路１０４のチューナ１４２に対して選局制御信号を入力する。このとき、コントローラ１２４は、受信回路１０２のチューナ１３２に対しても同じ選局制御信号を入力する。選局制御信号が入力されると、チューナ１３２は、入力された選局制御信号が示すチャンネル周波数を受信周波数に設定し、付加情報信号を受信する。チューナ１３２により受信された付加情報信号は、復調部１３４に入力される。復調部１３４は、入力された付加情報信号を復調し、誤り訂正部１３６に入力する。誤り訂正部１３６は、付加情報信号に誤り訂正を施してデマルチプレクサ１０６に入力する。
【００５４】
デマルチプレクサ１０６は、入力された付加情報信号に含まれる付加情報を抽出してコントローラ１２４に入力する。付加情報としては、例えば、電子番組表等の番組情報が一例として挙げられる。コントローラ１２４は、デマルチプレクサ１０６により抽出された付加情報をＤＲＡＭ１６０に一時的に記録する。そして、コントローラ１２４は、ＤＲＡＭ１６０に記録された付加情報に基づいて電子番組案内等の付加情報サービスをユーザに提供する。このとき、ユーザから放送番組の指定を受けると、コントローラ１２４は、指定された番組を選局させるための選局制御信号を受信回路１０２又は受信回路１０４に入力する。選局制御信号が入力された後の処理工程は上記と同様である。
【００５５】
以上、本実施形態に係る映像表示装置１００のハードウェア構成例について簡単に説明した。図４に示した映像表示装置１００のハードウェア構成は一例であり、本実施形態に係る技術を適用することが可能な装置形態はこれに限定されるものではない。
【００５６】
［４：映像表示装置１００の機能構成］
次に、図５を参照しながら、本実施形態に係る映像表示装置１００の機能構成について説明する。図５は、本実施形態に係る映像表示装置１００の機能構成例を示す説明図である。なお、映像信号の入力元の数や具体的な種類については変更可能である。
【００５７】
図５に示すように、映像表示装置１００は、主に、映像受信部２０２、２０４と、外部機器接続部２０６と、ネットワーク受信部２０８と、表示制御部２１０とを有する。なお、表示制御部２１０には、記憶部２１２が含まれる。さらに、映像表示装置１００は、表示部１２２と、操作入力部２１６と、設定情報管理部２１８と、相違設定検出部２２０と、並び順テーブル記憶部２２２とを有する。
【００５８】
（入力元の機能について）
映像受信部２０２は、例えば、地上デジタル放送の放送波を受信する手段である。同様に、映像受信部２０４は、例えば、ＢＳデジタル放送の放送波を受信する手段である。映像受信部２０２、２０４により受信された放送波は、映像信号に変換されて表示制御部２１０に入力される。また、外部機器接続部２０６は、外部機器を接続するための接続端子である。外部機器接続部２０６には、例えば、録画再生装置１０、映像再生装置２０、メモリ３０等の外部機器が接続される。そのため、外部機器から出力された映像信号は、外部機器接続部２０６を介して表示制御部２１０に入力される。
【００５９】
また、ネットワーク受信部２０８は、ＤＬＮＡ等のネットワークを介して映像信号を受信する手段である。例えば、ネットワーク受信部２０８は、ネットワークに接続された映像配信サーバに対して映像信号の送信要求を発信し、所定の認証処理等を経てストリーミング配信される映像信号を取得する。なお、ネットワーク受信部２０８は、ネットワークに接続された映像データサーバにアクセスして映像データをダウンロードし、ダウンロードした映像データに対応する映像信号を出力するように構成されていてもよい。また、ネットワーク受信部２０８は、放送番組に関する番組情報等を広域ネットワーク上の情報提供サーバから取得するように構成されていてもよい。ネットワーク受信部２０８から出力された映像信号は、表示制御部２１０に入力される。
【００６０】
（表示制御機能について）
個々の入力元から表示制御部２１０に映像信号が入力されると、表示制御部２１０は、入力された映像信号を表示部１２２に表示させる。このとき、表示制御部２１０は、各入力元に対して設定された設定情報に基づき、映像信号の画質又は表示部１２２の表示設定を調整してから表示させる。各入力元に対して設定された設定情報は、記憶部２１２に記録される。例えば、記憶部２１２には、図６に示すような設定情報が記録される。図６には、各入力元に対して設定された設定情報が記載されている。例えば、個々の入力元に付き、画質調整値としては、明るさ、色合い、シャープネス、倍速駆動等の設定項目が具体的に設定される。また、音質調整値としては、高音、低音、サラウンド等の設定項目が具体的に設定される。
【００６１】
なお、図６に示した設定情報の区分は一例であり、本実施形態に係る技術の適用範囲はこれに限定されない。図６の例では放送波の種別毎に設定情報が区分けされているが、地上デジタル放送とＢＳデジタル放送とを纏めて同じ設定情報の区分に割り当ててもよい。さらに、放送波で１つの区分が構成されていてもよいし、外部機器で１つの区分が構成されていてもよい。また、信号の符号化形式や配信形態等に応じて区分けされていてもよい。同じ形式で配信される映像信号の画質特性が似ているならば、同じ形式で映像信号が配信される入力元を同じ区分に割り当てておくことで、同区分に属する入力元に対する設定作業が１度で済むため、ユーザの作業負担が軽減される。このように、記憶部２１２に記録される設定情報の記録形式については種々の変形が可能である。
【００６２】
再び図５を参照する。上記の通り、記憶部２１２に記録される設定情報は、ユーザにより設定される。但し、記憶部２１２には、各入力元に対応する所定の設定情報が初期値として記録されている。そのため、ユーザによる設定作業は、初期値から変更する形式で実行される。また、ユーザは、操作入力部２１６を用いて設定情報の設定操作を行う。操作入力部２１６としては、例えば、選局や音量調整等に用いられるリモートコントローラ（以下、リモコン）が用いられる。但し、操作入力部２１６の形状や入力形式等については種々の変形が可能である。例えば、操作入力部２１６は、パーソナルコンピュータ等に用いられるキーボードやマウス等であってもよいし、或いは、家庭用ゲーム機等に用いられるコントローラであってもよい。
【００６３】
さて、設定情報の表示画面を表示するように操作入力部２１６を介してユーザの指示が入力されると、表示制御部２１０は、記憶部２１２から各入力元に対応する設定情報を読み出して表示部１２２に一覧表示させる。このとき、表示制御部２１０は、表示部１２２に表示すべき設定情報の種類を設定情報管理部２１８に問い合わせ、設定情報管理部２１８の応答内容に基づいて表示部１２２に設定情報を表示させる。例えば、設定情報管理部２１８は、表示制御部２１０から受けた問い合わせに対し、表示部１２２に表示可能な設定情報の数を考慮して表示すべき設定情報の種類、及び各設定情報に含まれる表示項目の並び順を表示制御部２１０に応答する。そして、この応答内容に基づいて表示部１２２に複数の設定情報が一覧表示される。
【００６４】
例えば、表示部１２２には、図７に示すような設定画面が表示される。図７に示すように、表示部１２２に表示される設定画面には、複数の入力元（Ａ１、Ａ２、Ａ３、Ａ４）に対応する設定情報が含まれる。但し、図７の例では、画質モード毎に区分された設定情報が表示されている。既に述べた通り、設定情報の区分は任意であり、図７に示すように画質モード毎に区分されていてもよい。なお、画質モードとしては、例えば、ダイナミック、シネマ、カスタム等がある。ダイナミックは、例えば、スポーツシーン等の動きのある映像に適したプリセットの画質モードである。シネマは、映画のような暗めの映像に適したプリセットの画質モードである。カスタムは、例えば、ユーザが自由に設定した画質モードである。
【００６５】
また、設定情報には、多数の設定項目が設けられている。設定項目としては、例えば、バックライト、明るさ、ノイズリダクション、倍速駆動等がある。バックライトは、表示部１２２に搭載されたバックライトの調整値を設定するための項目である。明るさは、映像信号の明るさに関する調整値を設定するための項目である。ノイズリダクションは、映像信号にノイズリダクション処理を施すか否かを設定するための項目である。倍速駆動は、映像信号のフレームレートを通常の倍や４倍にするか否かを設定するための項目である。このように、多数の設定項目が設けられている。なお、設定情報には、画質に関する項目のみならず、音質に関する項目が設けられていてもよい。
【００６６】
図７に例示した通り、表示制御部２１０は、表示部１２２に複数の設定情報を一覧表示させる。そのため、ユーザは、異なる入力元の設定情報を相互に比較することができる。その結果、入力元の切り替え前後で発生する画質の変化が設定情報の違いによるものか否かを容易に判別することが可能になる。さらに、ある入力元に対応する設定情報を変更する際、他の入力元に対応する設定情報を参照することが可能になる。従って、複数の設定情報を同じ調整値に設定する場合、ユーザは、いちいち設定画面を切り替えたり、参照元の調整値をメモしたりする必要が無くなる。結果として、設定情報の調整作業が効率化され、ユーザの利便性が大きく向上する。
【００６７】
しかし、表示部１２２に一度に一覧表示することが可能な設定情報の数は限られている。また、多数の設定情報が一覧表示される場合、参照元にする設定情報と参照先にする設定情報とが離れて表示されていると、対比し難い上、参照元の調整値を見間違えてしまうことがある。このような理由から、設定画面に表示される設定情報の並び順、及び設定項目の並び順を適切に決定することが求められる。表示部１２２に表示すべき設定情報の決定、設定情報の並び順の決定、設定項目の並び順の決定に係る主な処理は、設定情報管理部２１８により実行される。以下、これらの処理に関する機能構成について説明する。
【００６８】
再び図５を参照する。上記の通り、設定情報管理部２１８は、表示部１２２に表示すべき設定情報の決定処理、設定情報の並び順の決定処理、設定項目の並び順の決定処理を実行する手段である。以下、これらの決定処理について個々に説明する。なお、設定情報管理部２１８には、記憶部２１２に記録されている複数の設定情報が表示制御部２１０から入力されているものとする。
【００６９】
（設定情報の決定、及び設定情報の並び順の決定について）
まず、表示部１２２に表示すべき設定情報の決定処理について説明する。既に述べた通り、表示部１２２に表示可能な設定情報の数は限られている。図７の例では、４つの入力元に対応する設定情報で表示部１２２の表示領域が満たされている。もし、５つ以上の入力元に対応する設定情報が存在する場合、その中から表示部１２２に表示すべき４つの設定情報を決定する必要がある。そこで、設定情報管理部２１８は、次のようにして表示部１２２に表示すべき設定情報を決定する。
【００７０】
まず、設定情報管理部２１８は、設定画面の第１列に表示される設定情報の種別（入力元）を決定する。第１列の位置は、設定画面内で基準となる位置であれば任意に設定可能である。但し、第Ｎ列（Ｎは自然数）の隣に第Ｎ＋１列が配置されるものとする。例えば、設定画面の表示操作が行われた時点で表示部１２２に映像信号が表示されていた場合、設定情報管理部２１８は、その映像信号に対応する入力元の設定情報を第１列に割り当てる。但し、ユーザにより所定の入力元が第１列に表示されるように指定されていた場合、設定情報管理部２１８は、指定されている入力元の設定情報を第１列に割り当てる。
【００７１】
次に、設定情報管理部２１８は、第１列に割り当てた設定情報の調整値を基準値として相違設定検出部２２０に入力する。さらに、設定情報管理部２１８は、第１列の設定情報とは異なる全ての設定情報の調整値を相違設定検出部２２０に入力する。相違設定検出部２２０は、他の設定情報の調整値を個々に基準値と比較し、基準値との間の相違が大きい順に他の設定情報を順位付けする。例えば、相違設定検出部２２０は、基準値として入力された各設定項目の調整値と、他の設定情報に含まれる各設定項目の調整値との差分を計算し、差分の絶対値を全ての設定項目について加算する。全ての他の設定情報について加算値を算出すると、相違設定検出部２２０は、加算値が大きい順に他の設定情報を順位付けする。そして、相違設定検出部２２０は、全ての他の設定情報に関する順位の情報を設定情報管理部２１８に入力する。
【００７２】
相違設定検出部２２０から順位の情報が入力されると、設定情報管理部２１８は、順位が最も高い設定情報を第２列に割り当て、次に順位が高い設定情報を第３列に割り当てる。つまり、相違設定検出部２２０は、第１列から近い順に順位の高い設定情報を割り当てる。表示部１２２に表示可能な数だけ設定情報が割り当てられると、設定情報管理部２１８から表示制御部２１０に対し、表示部１２２に表示すべき設定情報の組み合わせ及び表示順を示す情報が応答内容として入力される。そこで、表示制御部２１０は、設定情報管理部２１８から取得した応答内容に基づいて表示部１２２に設定情報を表示させる。
【００７３】
このような構成にすることで、表示部１２２には、基準となる設定情報との間の相違が大きい設定情報が基準となる設定情報の近くに表示される。そのため、比較対象となる設定情報が近くに並んでいることで、比較対象の調整値を見誤る可能性が低くなる。また、基準となる設定情報から大きく外れた調整値を持つ設定情報が表示部１２２に最初に表示される。通常、ユーザが画質に満足している設定情報が基準に設定されるから、その設定情報と大きく異なる設定情報が調整の対象となる可能性が高い。そのため、調整すべき設定情報をユーザが逐次探さなくても最初に表示されるため、設定作業が効率化される。
【００７４】
（設定項目の並び順の決定について）
次に、個々の設定情報に含まれる設定項目の並び順の決定処理について説明する。まず、設定情報管理部２１８は、設定画面の第１列に表示される設定情報に基づいて設定項目の並び順を決定する。このとき、設定情報管理部２１８は、並び順テーブル記憶部２２２に記録された並び順テーブルを参照する。並び順テーブルには、入力元の種別又は画質モード毎に設定項目の並び順が記載されている。そのため、設定情報管理部２１８は、並び順テーブルを参照し、第１列の設定情報に対応する入力元の種別又は画質モードに対応する並び順のデータを抽出する。そして、設定情報管理部２１８は、抽出したデータが示す並び順を設定画面に表示される設定項目の並び順に決定する。
【００７５】
また、設定情報管理部２１８は、第１列の設定情報に含まれる各設定項目の調整値と、第２列の設定情報に含まれる各設定項目の調整値とを比較し、調整値の差分が大きい順に設定項目を並べるように構成されていてもよい。この構成によると、図７に示す例の場合、設定情報管理部２１８は、バックライトの設定項目、及び倍速駆動の設定項目が上位に、明るさ、ノイズリダクションの設定項目が下位になるように並び順を決定する。設定情報を調整する場合、調整値が大きく異なる項目が調整の対象になる。そこで、基準となる設定情報との差分が大きい設定項目を上位に表示することで、設定すべき項目が一目瞭然となり、ユーザが設定すべき項目を検索する手間が省ける。
【００７６】
設定情報管理部２１８により決定された設定項目の並び順を示す並び順情報は、表示制御部２１０に入力される。並び順情報が入力されると。表示制御部２１０は、並び順情報に基づいて表示部１２２に表示すべき設定情報の設定項目を並び替え、表示部１２２に表示させる。このように、複数の設定情報を一覧表示するだけでなく、ユーザが所望の設定項目を素早く検索できるように並び替えを行うことにより、設定作業が大幅に効率化され、設定操作にかかるユーザの負担が軽減される。
【００７７】
（設定情報の複製について）
次に、表示制御部２１０による設定情報の複製処理について簡単に説明する。ここでは複製処理の主体及び処理の概要について説明するに留め、その詳細については後述する。
【００７８】
上記の通り、表示制御部２１０は、複数の入力元に対応する複数の設定情報を一覧表示する。その結果、異なる入力元に対応する設定情報を並べて相互に比較しながら参照することが可能になり、ユーザによる設定情報の調整作業が効率化される。但し、設定すべき項目の数が非常に多い場合、或いは、同じ設定情報を設定したい入力元の数が多い場合、個々の設定項目に調整値を入力する作業には大きな労力が必要になる。そのため、このような場合には、上記のように複数の設定情報が比較参照できる表示構成を採用しても、ユーザには大きな作業負担が生じてしまう。そこで、本実施形態においては、図８〜図１１に示す設定情報の複製方法が提案される。なお、この複製方法に係る一連の処理は、表示制御部２１０により実行される。以下、この複製方法について詳細に説明する。
【００７９】
［５：設定情報の複製方法］
ここで、図８〜図１１を参照しながら、本実施形態に係る設定情報の複製方法について説明する。図８は、１つの設定情報を他の全ての設定情報に複製する一括コピー方法を示す説明図である。図９は、複製元の設定情報と複製先の設定情報とが入力元（画質モード）の単位で指定された場合に、指定された設定情報の間で複製処理を行う入力別コピー方法を示す説明図である。
【００８０】
図１０は、１つの設定情報に含まれる１つの設定項目を他の全ての設定情報に含まれる同じ設定項目に複製する項目別コピー方法を示す説明図である。図１１は、複製元の設定情報に含まれる１つの設定項目と複製先の設定情報とが指定された場合に、指定された設定情報に含まれる同じ設定項目の間で複製処理を行う個別コピー方法を示す説明図である。以下、順に説明する。
【００８１】
（一括コピー方法）
まず、図８を参照する。図８には、表示部１２２に表示される設定画面が示されている。図８の例では、第１列に表示された設定情報Ａ１が複製元領域Ａ１０に指定されている。複製元領域Ａ１０の指定操作は、ユーザにより操作入力部２１６を介して行われる。ユーザにより複製元領域Ａ１０の指定操作が行われると、操作入力部２１６から表示制御部２１０に指定操作の操作信号が入力され、表示制御部２１０により複製元領域Ａ１０が設定画面上に明示される。なお、表示制御部２１０は、第１列に表示される基準の設定情報を自動で複製元領域Ａ１０に指定するように構成されていてもよい。
【００８２】
また、図８の例では、設定情報（Ａ２、Ａ３、Ａ４）に含まれる全ての設定項目が複製先領域Ａ２０に指定されている。一括コピーの場合、複製先領域Ａ２０は、表示制御部２１０により自動で指定される。例えば、表示制御部２１０は、設定画面に表示されている設定情報（Ａ１、Ａ２、Ａ３、Ａ４）のうち、第１列に表示された設定情報Ａ１を除く全ての設定情報（Ａ２、Ａ３、Ａ４）を複製先領域Ａ２０に指定する。なお、指定された複製先領域Ａ２０は、表示制御部２１０により設定画面上に明示される。また、表示制御部２１０は、設定画面に一覧表示されていない設定情報を複製先領域Ａ２０に指定するように構成されていてもよい。
【００８３】
さらに、編集処理がプロテクトされた設定情報が存在する場合、表示制御部２１０は、プロテクトされた設定情報を除く全ての設定情報を複製先領域Ａ２０に指定するように構成されていてもよい。上記のようにして複製元領域Ａ１０と複製先領域Ａ２０とが指定されると、表示制御部２１０は、複製元領域Ａ１０に含まれる設定項目の調整値を複製先領域Ａ２０に含まれる全ての設定情報の設定項目に調整値として書き込む。但し、表示制御部２１０は、操作入力部２１６を介して入力される複製処理の実行指示に応じて設定情報の複製処理を実行するように構成されていてもよい。
【００８４】
このような構成にすることで、１つの設定情報を他の複数の設定情報に複製したい場合に、１つ１つの設定項目に手入力で調整値を行わずに済むため、ユーザの作業負担が大幅に低減される。また、一括コピーにより複数の設定情報を同じ調整値に設定した後で、一部の設定情報のみを微調整することにより、大部分の共通する設定情報に対する入力作業を省略することが可能になり、ユーザの利便性を大きく向上させることができる。
【００８５】
（入力別コピー方法）
次に、図９を参照する。図９には、表示部１２２に表示される設定画面が示されている。図９の例では、第１列に表示された設定情報Ａ１が複製元領域Ａ１０に指定されている。複製元領域Ａ１０の指定操作は、ユーザにより操作入力部２１６を介して行われる。ユーザにより複製元領域Ａ１０の指定操作が行われると、操作入力部２１６から表示制御部２１０に指定操作の操作信号が入力され、表示制御部２１０により複製元領域Ａ１０が設定画面上に明示される。なお、表示制御部２１０は、第１列に表示される基準の設定情報を自動で複製元領域Ａ１０に指定するように構成されていてもよい。
【００８６】
また、図９の例では、設定情報Ａ３に含まれる全ての設定項目が複製先領域Ａ２２に指定されている。入力別コピーの場合、複製先領域Ａ２２は、表示制御部２１０により自動で指定されず、ユーザ操作により指定される。例えば、表示制御部２１０により複製先領域Ａ２２を指定するための指定オブジェクトが設定画面に表示される。そこで、ユーザは、操作入力部２１６を用いて指定オブジェクトの位置を移動させ、所望の設定情報の位置に指定オブジェクトが表示されたところで指定操作を行う。このとき、指定された設定情報に含まれる全ての設定項目が指定される。
【００８７】
図９の例においては、設定画面に表示されている設定情報（Ａ１、Ａ２、Ａ３、Ａ４）のうち、設定情報Ａ３に含まれる全ての設定項目が複製先領域Ａ２２に指定されている。指定された複製先領域Ａ２２は、表示制御部２１０により設定画面上に明示される。上記のようにして複製元領域Ａ１０と複製先領域Ａ２２とが指定されると、表示制御部２１０は、複製元領域Ａ１０に含まれる設定項目の調整値を複製先領域Ａ２２に含まれる全ての設定情報の設定項目に調整値として書き込む。但し、表示制御部２１０は、操作入力部２１６を介して入力される複製処理の実行指示に応じて設定情報の複製処理を実行するように構成されていてもよい。
【００８８】
このような構成にすることで、１つの設定情報に含まれる全ての設定項目を他の設定情報に複製したい場合に、１つ１つの設定項目に手入力で調整値を行わずに済むため、ユーザの作業負担が大幅に低減される。また、入力別コピーにより設定情報に含まれる全ての設定項目を同じ調整値に設定した後で、一部の設定項目のみを微調整することにより、大部分の共通する設定項目に対する入力作業を省略することが可能になり、ユーザの利便性を大きく向上させることができる。
【００８９】
（項目別コピー方法）
次に、図１０を参照する。図１０には、表示部１２２に表示される設定画面が示されている。図１０の例では、第１列に表示された設定情報Ａ１に含まれる１つの設定項目が複製元領域Ａ１２に指定されている。複製元領域Ａ１２の指定操作は、ユーザにより操作入力部２１６を介して行われる。ユーザにより複製元領域Ａ１２の指定操作が行われると、操作入力部２１６から表示制御部２１０に指定操作の操作信号が入力され、表示制御部２１０により複製元領域Ａ１２が設定画面上に明示される。
【００９０】
また、図１０の例では、設定情報（Ａ２、Ａ３、Ａ４）に含まれ、かつ、複製元領域Ａ１２に対応する設定項目が複製先領域Ａ２４に指定されている。項目別コピーの場合、複製先領域Ａ２４は、表示制御部２１０により自動で指定される。例えば、表示制御部２１０は、設定画面に表示されている設定情報（Ａ１、Ａ２、Ａ３、Ａ４）のうち、第１列に表示された設定情報Ａ１を除く全ての設定情報（Ａ２、Ａ３、Ａ４）の上記設定項目を複製先領域Ａ２４に指定する。なお、指定された複製先領域Ａ２４は、表示制御部２１０により設定画面上に明示される。また、表示制御部２１０は、設定画面に一覧表示されていない設定情報の設定項目を複製先領域Ａ２４に指定するように構成されていてもよい。
【００９１】
さらに、編集処理がプロテクトされた設定情報が存在する場合、表示制御部２１０は、プロテクトされた設定情報を除く全ての設定情報について上記設定項目を複製先領域Ａ２４に指定するように構成されていてもよい。このようにして複製元領域Ａ１２と複製先領域Ａ２４とが指定されると、表示制御部２１０は、複製元領域Ａ１２に指定された設定項目の調整値を複製先領域Ａ２４に含まれる全ての設定項目に調整値として書き込む。但し、表示制御部２１０は、操作入力部２１６を介して入力される複製処理の実行指示に応じて設定項目の複製処理を実行するように構成されていてもよい。
【００９２】
このような構成にすることで、１つの設定情報に含まれる１つの設定項目の調整値を他の複数の設定情報について複製したい場合に、１つ１つの設定項目に手入力で調整値を行わずに済むため、ユーザの作業負担が大幅に低減される。また、項目別コピーにより複数の設定情報の設定項目を同じ調整値に設定した後で、一部の設定項目のみを微調整することにより、大部分の共通する設定項目に対する入力作業を省略することが可能になり、ユーザの利便性を大きく向上させることができる。
【００９３】
（個別コピー）
次に、図１１を参照する。図１１には、表示部１２２に表示される設定画面が示されている。図１１の例では、第１列に表示された設定情報Ａ１に含まれる１つの設定項目が複製元領域Ａ１２に指定されている。複製元領域Ａ１２の指定操作は、ユーザにより操作入力部２１６を介して行われる。ユーザにより複製元領域Ａ１２の指定操作が行われると、操作入力部２１６から表示制御部２１０に指定操作の操作信号が入力され、表示制御部２１０により複製元領域Ａ１２が設定画面上に明示される。
【００９４】
また、図１１の例では、設定情報Ａ３に含まれ、かつ、複製元領域Ａ１２に対応する設定項目が複製先領域Ａ２６に指定されている。個別コピーの場合、複製先領域Ａ２６は、表示制御部２１０により自動で指定されず、ユーザ操作により指定される。例えば、表示制御部２１０により複製先領域Ａ２６を指定するための指定オブジェクトが設定画面に表示される。そこで、ユーザは、操作入力部２１６を用いて指定オブジェクトの位置を移動させ、所望の設定項目の位置に指定オブジェクトが表示されたところで指定操作を行う。このとき、指定された設定項目が指定される。
【００９５】
図１１の例においては、設定画面に表示されている設定項目のうち、設定情報Ａ３に含まれる１つの設定項目が複製先領域Ａ２６に指定されている。指定された複製先領域Ａ２６は、表示制御部２１０により設定画面上に明示される。上記のようにして複製元領域Ａ１２と複製先領域Ａ２６とが指定されると、表示制御部２１０は、複製元領域Ａ１２に指定された設定項目の調整値を複製先領域Ａ２６の設定項目に調整値として書き込む。但し、表示制御部２１０は、操作入力部２１６を介して入力される複製処理の実行指示に応じて設定項目の複製処理を実行するように構成されていてもよい。
【００９６】
このような構成にすることで、ある設定項目の調整値を他の設定項目に複製したい場合に、手入力で調整値の入力を行わずに済むため、ユーザの作業負担が低減され、ユーザの利便性を向上させることができる。
【００９７】
本実施形態に係る上記の複製方法は、とりわけ、操作入力部２１６にリモコン等の簡易的な操作手段が採用されている場合に利便性向上の効果が大きい。リモコン等を用いて複数の数字や文字を入力する作業が非効率であることは周知の通りである。仮に、メニュー選択方式で調整値の入力が行えるように設計されていたとしても、メニューを表示させ、メニューの中から所望の調整値を選択し、選択した調整値の入力処理を実行させるという複数の工程を経なければ調整値が入力されない。そのため、設定すべき調整値が多く存在する場合には、ユーザの操作工程が多くなり作業負担が増大してしまう。
【００９８】
その点、本実施形態に係る複製方法は、１つ又は２つの領域を選択するだけで調整値が複製されるため、メニュー選択方式に比べて操作工程が非常に少なくて済む。また、調整値を直接的に入力する作業を伴わないため、リモコン等の簡易的な操作手段であっても、ユーザがストレス無く作業することができる。さらに、操作入力部２１６がタッチパネルであっても、数字や文字を入力する工程が含まれないため、直感的な操作により調整値の入力処理を実行することができる。上記の例においては、実際に映像信号を入力する入力元の設定情報が設定画面に表示されていたが、予めモデルとなる設定情報をプリセットしておき、上記の複製方法を用いて調整値を入力するように構成されていてもよい。
【００９９】
以上、本実施形態に係る設定情報の複製方法について、具体的な画面構成を示しながら詳細に説明した。以下では、表示制御部２１０による複製処理の流れについて説明する。
【０１００】
［６：設定情報の複製処理の流れ］
ここでは、図１２〜図１５を参照しながら、表示制御部２１０による複製処理の流れについて説明する。図１２は、上記の一括コピーに関して表示制御部２１０により実行される複製処理の流れを示す説明図である。図１３は、上記の入力別コピーに関して表示制御部２１０により実行される複製処理の流れを示す説明図である。図１４は、上記の項目別コピーに関して表示制御部２１０により実行される複製処理の流れを示す説明図である。図１５は、上記の個別コピーに関して表示制御部２１０により実行される複製処理の流れを示す説明図である。
【０１０１】
なお、ユーザにより設定画面が表示されると、設定値の一覧が俯瞰的に表示される。その後、ユーザが一括コピーを選択すると、図１２に示すような複製処理が実行される。同様に、ユーザが入力別コピー、項目別コピー、又は個別コピーを選択すると、それぞれ図１３、図１４、又は図１５に示すような複製処理が実行される。また、設定値の一覧が俯瞰的に表示された状態で、複製処理の対象となる入力元、或いは、各入力元に対応する画質モード等が選択される。これらの選択処理を経て、図１２〜図１５に示すような一連の複製処理が実行される。
【０１０２】
（一括コピー処理の流れについて）
まず、図１２を参照する。図１２に示すように、まず、操作入力部２１６を介してユーザによる設定画面の表示操作が行われる（Ｓ１０２）。次いで、表示制御部２１０は、複数の入力元に対応する設定情報を記憶部２１２から読み出す（Ｓ１０４）。次いで、表示制御部２１０は、図７に示すように、複数の設定情報を表示部１２２に並べて表示させる（Ｓ１０６）。このとき、表示制御部２１０は、設定情報管理部２１８に対し、表示すべき設定情報の種別、設定情報の並び順、設定項目の並び順について問い合わせ、設定情報管理部２１８から取得した応答内容に応じて設定情報を表示させる。
【０１０３】
次いで、表示制御部２１０は、複製元となる入力元の設定情報が選択されたか否かを判断する（Ｓ１０８）。上記の通り、表示制御部２１０は、設定画面の第１列に表示された設定情報を自動的に複製元領域Ａ１０に選択するように構成されていてもよい。しかし、設定画面の表示された設定情報の中からユーザが任意に複製元領域Ａ１０を選択できるように構成されていてもよい。ユーザが任意に複製元領域Ａ１０を選択できるように構成されている場合、表示制御部２１０は、ステップＳ１０８のようにユーザが複製元領域Ａ１０を選択するまで待機する。複製元となる入力元の設定情報が選択されると、表示制御部２１０は、ステップＳ１１０の処理に進行する。
【０１０４】
ステップＳ１１０では、ユーザにより複製処理の実行を指示する操作が行われたか否かが判断される（Ｓ１１０）。上記の通り、一括コピーの場合、複製元領域Ａ１０が選択された時点で複製先領域Ａ２０が決定されるため、表示制御部２１０が自動で複製処理を実行することができる。但し、ユーザに実行の可否を判断させる機会を与えるため、表示制御部２１０は、ユーザに実行指示を入力させる場合がある。この場合、表示制御部２１０は、ステップＳ１１０のように、ユーザにより実行指示が入力されるまで待機する。そして、ユーザにより実行指示が入力されると、表示制御部２１０は、ステップＳ１１２の処理に進行する。
【０１０５】
ステップＳ１１２では、表示制御部２１０により、複製元領域Ａ１０に含まれる設定情報が複製先領域Ａ２０に含まれる設定情報に上書きコピーされる（Ｓ１１２）。一括コピーの場合、複製元領域Ａ１０に含まれる全ての設定項目の調整値が複製先領域Ａ２０に含まれる全ての対応する設定項目にコピーされる。このようにして複製処理が完了すると、表示制御部２１０は、一括コピーに係る一連の処理を終了する。
【０１０６】
（入力別コピー処理の流れについて）
次に、図１３を参照する。図１３に示すように、まず、操作入力部２１６を介してユーザによる設定画面の表示操作が行われる（Ｓ１２２）。次いで、表示制御部２１０は、複数の入力元に対応する設定情報を記憶部２１２から読み出す（Ｓ１２４）。次いで、表示制御部２１０は、図７に示すように、複数の設定情報を表示部１２２に並べて表示させる（Ｓ１２６）。このとき、表示制御部２１０は、設定情報管理部２１８に対し、表示すべき設定情報の種別、設定情報の並び順、設定項目の並び順について問い合わせ、設定情報管理部２１８から取得した応答内容に応じて設定情報を表示させる。
【０１０７】
次いで、表示制御部２１０は、複製元となる入力元の設定情報が選択されたか否かを判断する（Ｓ１２８）。上記の通り、表示制御部２１０は、設定画面の第１列に表示された設定情報を自動的に複製元領域Ａ１０に選択するように構成されていてもよい。しかし、設定画面の表示された設定情報の中からユーザが任意に複製元領域Ａ１０を選択できるように構成されていてもよい。ユーザが任意に複製元領域Ａ１０を選択できるように構成されている場合、表示制御部２１０は、ステップＳ１０８のようにユーザが複製元領域Ａ１０を選択するまで待機する。複製元となる入力元の設定情報が選択されると、表示制御部２１０は、ステップＳ１３０の処理に進行する。
【０１０８】
ステップＳ１３０において、表示制御部２１０は、複製先となる入力元の設定情報が選択されたか否かを判断する（Ｓ１３０）。上記の通り、入力別コピーの場合、一括コピーの場合とは異なり、複製先領域Ａ２２は自動的に選択されない。そのため、ユーザに対して複製先領域Ａ２２の選択操作が求められる。そこで、表示制御部２１０は、ステップＳ１３０のようにユーザが複製先領域Ａ２２を選択するまで待機する。複製先となる入力元の設定情報が選択されると、表示制御部２１０は、ステップＳ１３２の処理に進行する。
【０１０９】
ステップＳ１３２では、ユーザにより複製処理の実行を指示する操作が行われたか否かが判断される（Ｓ１３２）。上記の通り、複製元領域Ａ１０と複製先領域Ａ２２が選択された時点で表示制御部２１０が自動的に複製処理を実行するように構成されていてもよい。しかし、ユーザに実行の可否を判断させる機会を与えるため、表示制御部２１０は、ユーザに実行指示を入力させる場合がある。この場合、表示制御部２１０は、ステップＳ１３２のように、ユーザにより実行指示が入力されるまで待機する。そして、ユーザにより実行指示が入力されると、表示制御部２１０は、ステップＳ１３４の処理に進行する。
【０１１０】
ステップＳ１３４では、表示制御部２１０により、複製元領域Ａ１０に含まれる設定情報が複製先領域Ａ２２に含まれる設定情報に上書きコピーされる（Ｓ１３４）。入力別コピーの場合、複製元領域Ａ１０に含まれる全ての設定項目の調整値が複製先領域Ａ２２に含まれる全ての対応する設定項目にコピーされる。このようにして複製処理が完了すると、表示制御部２１０は、入力別コピーに係る一連の処理を終了する。
【０１１１】
（項目別コピー処理の流れについて）
次に、図１４を参照する。図１４に示すように、まず、操作入力部２１６を介してユーザによる設定画面の表示操作が行われる（Ｓ１４２）。次いで、表示制御部２１０は、複数の入力元に対応する設定情報を記憶部２１２から読み出す（Ｓ１４４）。次いで、表示制御部２１０は、図７に示すように、複数の設定情報を表示部１２２に並べて表示させる（Ｓ１４６）。このとき、表示制御部２１０は、設定情報管理部２１８に対し、表示すべき設定情報の種別、設定情報の並び順、設定項目の並び順について問い合わせ、設定情報管理部２１８から取得した応答内容に応じて設定情報を表示させる。
【０１１２】
次いで、表示制御部２１０は、複製元となる設定項目が選択されたか否かを判断する（Ｓ１４８）。上記の通り、項目別コピーの場合、一括コピーや入力別コピーの場合とは異なり、複製元領域Ａ１２は自動的に選択されない。そのため、ユーザに対して複製元領域Ａ１２の選択操作が求められる。そこで、表示制御部２１０は、ステップＳ１４８のようにユーザが複製元領域Ａ１２を選択するまで待機する。複製元となる設定項目が選択されると、表示制御部２１０は、ステップＳ１５０の処理に進行する。
【０１１３】
ステップＳ１５０では、ユーザにより複製処理の実行を指示する操作が行われたか否かが判断される（Ｓ１５０）。上記の通り、項目別コピーの場合、複製元領域Ａ１２が選択された時点で複製先領域Ａ２４が決定されるため、表示制御部２１０が自動で複製処理を実行することができる。但し、ユーザに実行の可否を判断させる機会を与えるため、表示制御部２１０は、ユーザに実行指示を入力させる場合がある。この場合、表示制御部２１０は、ステップＳ１５０のように、ユーザにより実行指示が入力されるまで待機する。そして、ユーザにより実行指示が入力されると、表示制御部２１０は、ステップＳ１５２の処理に進行する。
【０１１４】
ステップＳ１５２では、表示制御部２１０により、複製元領域Ａ１２の設定項目が複製先領域Ａ２４の設定項目に上書きコピーされる（Ｓ１５２）。項目別コピーの場合、複製元領域Ａ１２に指定された設定項目の調整値が複製先領域Ａ２４に含まれる全ての対応する設定項目にコピーされる。このようにして複製処理が完了すると、表示制御部２１０は、項目別コピーに係る一連の処理を終了する。
【０１１５】
（個別コピー処理の流れについて）
次に、図１５を参照する。図１５に示すように、まず、操作入力部２１６を介してユーザによる設定画面の表示操作が行われる（Ｓ１６２）。次いで、表示制御部２１０は、複数の入力元に対応する設定情報を記憶部２１２から読み出す（Ｓ１６４）。次いで、表示制御部２１０は、図７に示すように、複数の設定情報を表示部１２２に並べて表示させる（Ｓ１６６）。このとき、表示制御部２１０は、設定情報管理部２１８に対し、表示すべき設定情報の種別、設定情報の並び順、設定項目の並び順について問い合わせ、設定情報管理部２１８から取得した応答内容に応じて設定情報を表示させる。
【０１１６】
次いで、表示制御部２１０は、複製元となる設定項目が選択されたか否かを判断する（Ｓ１６８）。上記の通り、個別コピーの場合、一括コピーや入力別コピーの場合とは異なり、複製元領域Ａ１２は自動的に選択されない。そのため、ユーザに対して複製元領域Ａ１２の選択操作が求められる。そこで、表示制御部２１０は、ステップＳ１６８のようにユーザが複製元領域Ａ１２を選択するまで待機する。複製元となる設定項目が選択されると、表示制御部２１０は、ステップＳ１７０の処理に進行する。
【０１１７】
ステップＳ１７０において、表示制御部２１０は、複製先の設定項目が選択されたか否かを判断する（Ｓ１７０）。上記の通り、個別コピーの場合、一括コピーの場合とは異なり、複製先領域Ａ２６は自動的に選択されない。そのため、ユーザに対して複製先領域Ａ２６の選択操作が求められる。そこで、表示制御部２１０は、ステップＳ１７０のようにユーザが複製先領域Ａ２６を選択するまで待機する。複製先の設定項目が選択されると、表示制御部２１０は、ステップＳ１７２の処理に進行する。
【０１１８】
ステップＳ１７２では、ユーザにより複製処理の実行を指示する操作が行われたか否かが判断される（Ｓ１７２）。上記の通り、複製元領域Ａ１２と複製先領域Ａ２６が選択された時点で表示制御部２１０が自動的に複製処理を実行するように構成されていてもよい。しかし、ユーザに実行の可否を判断させる機会を与えるため、表示制御部２１０は、ユーザに実行指示を入力させる場合がある。この場合、表示制御部２１０は、ステップＳ１７２のように、ユーザにより実行指示が入力されるまで待機する。そして、ユーザにより実行指示が入力されると、表示制御部２１０は、ステップＳ１７４の処理に進行する。
【０１１９】
ステップＳ１７４では、表示制御部２１０により、複製元領域Ａ１２に指定された設定項目が複製先領域Ａ２６の設定項目に上書きコピーされる（Ｓ１７４）。このようにして複製処理が完了すると、表示制御部２１０は、個別コピーに係る一連の処理を終了する。
【０１２０】
以上、表示制御部２１０による複製処理の流れについて説明した。上記の通り、設定情報が一覧表示されているため、複製処理を実行する際にユーザが行う作業工程が少なくて済み、当該複製処理に要するユーザの作業負担が大きく低減される。
【０１２１】
［７：設定情報の微調整方法］
次に、図１６を参照しながら、本実施形態に係る設定情報の微調整方法について説明する。図１６は、本実施形態に係る設定情報の微調整方法を示す説明図である。
【０１２２】
上記の通り、ユーザは、所望の複製方法を用いて設定情報を複製することができる。また、ユーザは、一覧表示された設定情報を比較対照しながら、個々の設定項目に設定された調整値を変更することができる。しかし、調整値の変更による映像出力の違いは、実際に表示部１２２に表示してみなければ分からないことが多い。特に、調整値の微妙な違いが映像出力の画質特性に与える影響については、実際に映像出力を比較して自身の目で確かめる必要がある。また、他の入力元の設定情報に合わせて調整値を設定した場合、比較対象として選択した他の入力元の映像出力とも比較しながら微調整を行う方が好ましい。そこで、本実施形態においては、他の入力元の映像出力と、調整対象の映像出力とを同じ画面上に表示させ、さらに、調整前後の映像出力を比較しながら微調整できるようにする技術が提案される。
【０１２３】
具体的には、図１６に示すような表示方法で複数の映像が表示部１２２に表示される。なお、ここで説明する表示方法は、表示制御部２１０の機能により実現される。まず、既に述べた設定情報の調整方法により、設定情報の一覧表示を用いて調整値が設定される。ここでは、説明の都合上、変更対象項目Ａ１４として地上デジタルが選択され、比較対象項目Ａ２８としてＨＤＭＩ１が選択され、変更対象項目Ａ１４から比較対照項目Ａ２８に個別コピーが実行されたものと仮定する。但し、変更対象項目Ａ１４は、微調整の対象となる設定項目である。一方、比較対象項目Ａ２８は、微調整の際に比較対象とされる設定項目である。
【０１２４】
さて、表示制御部２１０は、図１６に示すように、表示部１２２に対し、変更中の映像出力Ｂ１０と、変更前の映像出力Ｂ１２と、比較対象の映像出力Ｂ２０と、変更操作画面Ｂ３０とを表示させる。変更中の映像出力Ｂ１０は、変更対象項目Ａ１４に対応する映像出力に対して変更操作画面Ｂ３０による変更操作が反映された後の映像出力である。一方、変更前の映像出力Ｂ１２は、変更対象項目Ａ１４に対応する映像出力であり、変更操作画面Ｂ３０による変更操作が反映される前の映像出力である。また、比較対象の映像出力Ｂ２０は、比較対象項目Ａ２８に対応する映像出力であり、変更操作画面Ｂ３０による変更操作とは無関係である。そして、変更操作画面Ｂ３０は、変更対象項目Ａ１４の調整値を変更するために用いる操作用のユーザインターフェースである。
【０１２５】
変更操作画面Ｂ３０には、変更対象項目Ａ１４の調整値を変更するための操作オブジェクト（スライダ等）が表示される。また、変更操作画面Ｂ３０には、変更前の映像出力Ｂ１２に対応する変更対象項目Ａ１４の調整値が示されている。さらに、変更操作画面Ｂ３０には、比較対象項目Ａ２８の調整値が示されている。ユーザは、操作入力部２１６を用いて変更操作画面Ｂ３０に表示された上記の操作オブジェクトを操作し、変更対象項目Ａ１４の調整値を変更する。このようにして変更された調整値は、変更中の映像出力Ｂ１０に反映される。このように、表示部１２２に表示される個々の映像出力に関する調整値が比較されることで、映像出力の違いを視認しながら調整値の微調整を行うことができる。また、入力元の違いにより生じる画質特性の違いが一目瞭然となる。
【０１２６】
以上、本実施形態に係る映像表示装置１００の構成、設定情報の表示方法、及び映像表示方法について詳細に説明した。上記の通り、複数の入力元に対応する設定情報が一覧表示されることで、入力元を切り替えた際に現れる画質の違いが画質調整値の違いによるものか否かを容易に認識できるようになる。また、異なる入力元の設定情報を参照しながら、画質調整値の設定が行えるようになり、設定作業が大幅に効率化され、ユーザの作業負担が大きく軽減される。さらに、本実施形態に係る複製方法を適用すれば、一覧表示された設定情報を効率的に複製できるようになり、設定作業がより効率化される。また、異なる映像出力を比較対照しながら画質調整値の微調整を行うことで、入力元毎の画質特性を考慮しつつ、画質調整値を容易に微調整することが可能になる。
【０１２７】
［８：まとめ］
最後に、本実施形態の映像表示装置が有する機能構成と、当該機能構成により得られる作用効果について簡単に纏める。
【０１２８】
まず、本実施形態に係る映像表示装置の機能構成は次のように表現することができる。当該映像表示装置は、次のような複数の映像入力部と、表示部と、表示制御部とを有する。上記の複数の映像入力部には互いに異なる映像信号が入力される。また、上記の表示部には前記映像信号が表示される。上記の表示制御部は、個々の前記映像入力部から入力される映像信号の表示設定に関する設定情報を前記表示部に一覧表示させるものである。既に述べた通り、映像入力部を切り替えた際に映像品質が異なる場合、その原因が設定情報にあるのか否かを判別することは難しい。しかしながら、表示制御部により複数の映像入力部に対応する設定情報が一覧表示されることで、設定情報の違いが一目瞭然となり、調整すべき設定情報を容易に発見できるようになる。また、設定画面を切り替えずとも複数の映像入力部に関する設定情報を参照できるようになるため、複数の設定情報を相互に比較しながら調整作業を行うことができるようになる。その結果、ユーザの作業負担が軽減され、利便性が大きく向上する。
【０１２９】
また、前記設定情報には、複数の設定項目が設けられている場合がある。この場合、前記映像表示装置は、個々の前記映像入力部又は所定の表示モードに対応付けて前記設定項目の並び順が記録された並び順テーブル記憶部をさらに有する。そして、前記表示制御部は、前記表示部に一覧表示された設定情報の１つが選択された場合、又は所定の表示モードが選択された場合に、前記並び順テーブル記憶部に記録された並び順に基づいて前記複数の設定項目を並び替える。既に述べた通り、映像入力部や表示モードが異なると、画質に大きく影響を与える調整値の種類が異なる。また、大きく影響を与える調整値が注目しずらい位置に表示されていると、その調整値をユーザが探すのに時間がかかってしまう。しかし、上記のような構成にすることで、映像入力部毎又は表示モード毎に設定すべき設定項目が並べて表示されるため、ユーザは、上位に並べられた設定項目の調整を行うことで効率的、かつ、効果的に調整値の設定を行うことができるようになる。
【０１３０】
また、前記映像表示装置は、基準となる前記設定情報が決定された場合に、当該基準となる設定情報との間の相違度が大きい設定情報を検出する相違設定検出部をさらに備えていてもよい。この場合、前記表示制御部は、前記相違設定検出部により検出された設定情報を前記基準となる設定情報に並べて前記表示部に一覧表示させる。既に述べた通り、相違度が大きい設定情報は、優先的に設定すべき設定情報であることが多い。また、ユーザが設定情報を比較対照しながら設定作業を行う際、基準となる設定情報と、設定する設定情報とが近くに並べて表示されている方が調整値を参照しやすい。そのため、上記のような構成にすることで、基準となる設定情報と、設定すべき設定情報とが近くに並べて表示されるようになり、ユーザが調整値を設定する際の設定作業が効率化される。また、参照時に調整値を見誤ることが少なくなるため、調整値の設定ミスが低減される。
【０１３１】
また、前記相違設定検出部は、ユーザにより前記表示部に一覧表示された前記設定情報の１つが選択された場合に、当該選択された設定情報を前記基準となる設定情報として前記相違度が大きい設定情報を検出するように構成されていてもよい。このように、基準となる設定情報をユーザが任意に設定できるようにすることで、基準の設定情報を順次変更しながら設定すべき設定情報を検出させることができるようになる。
【０１３２】
また、前記相違設定検出部は、所定の表示モードが選択された場合に、当該表示モードに対応付けられた設定情報を前記基準となる設定情報として前記相違度が大きい設定情報を検出するように構成されていてもよい。このような構成にすることで、所定の表示モードに適した設定情報を基準として、その表示モードと同じ設定情報に設定すべき設定情報が自動的に検出されるため、設定すべき設定情報をユーザが検索しなくても済む。例えば、ある映像入力部から入力される映像を所定の表示モードで視聴する際に、その映像入力部の設定情報が所定の表示モードに適した設定情報から大きく外れているか否かを容易に確かめることができる。また、大きく外れている場合、ユーザは、所定の表示モードに適した設定情報の調整値を参照しながら設定情報を調整することができる。
【０１３３】
また、上記の映像表示装置は、前記表示部に一覧表示された前記設定情報の中から選択された一の前記設定情報を他の前記設定情報に上書きする設定情報複製部をさらに有していてもよい。この場合、前記設定情報複製部は、複製元である前記一の設定情報、及び複製先である前記他の設定情報が選択された場合に、前記一の設定情報に含まれる全ての設定項目の情報を前記他の設定情報に含まれる設定項目に上書きする。このような構成にすることで、個々の設定情報に調整値を入力せず、所望の調整値に近い設定情報の内容を複製して入力に代えることができる。また、所望の調整値に近い設定情報を複製した上で、一部の設定項目だけを微調整することにより、ユーザの作業負担が大きく低減される。
【０１３４】
また、上記の映像表示装置は、前記表示部に一覧表示された前記設定情報の中から選択された一の前記設定情報を他の前記設定情報に上書きする設定情報複製部をさらに有していてもよい。この場合、前記設定情報複製部は、複製元である前記一の設定情報、及び複製先である前記他の設定情報が選択され、さらに前記一の設定情報に含まれる一部の設定項目が選択された場合に、前記一の設定情報に含まれる設定項目のうち、選択された当該設定項目の情報を前記他の設定情報に含まれる設定項目に上書きする。このように、設定項目毎に複製が行えるようにすることで、例えば、ある表示モード等において画質に大きな影響を与える設定項目のみを一括して調整することができるようになる。
【０１３５】
また、前記表示制御部は、２つの前記映像入力部に対応する設定情報が選択された場合に、１つの当該設定情報を変更するための設定変更画面と、当該設定変更画面で変更された設定情報に基づく映像信号が表示される変更後映像画面と、設定変更前の当該映像信号が表示される変更前映像画面と、前記１つの設定情報とは異なる前記設定情報に基づく映像信号が比較対象として表示される比較映像画面と、を前記表示部に一覧表示させるように構成されていてもよい。このように、設定情報を微調整する際、微調整前後の映像出力に加えて他の映像入力部の映像出力が比較対照できるようになる。その結果、映像入力部の画質特性や映像信号の画質特性等を考慮しながら映像情報を微調整することが可能になる。また、微調整により実際に変化する映像出力の画質特性がリアルタイムで確認できるため、微調整を行う際の作業効率を向上させることができる。
【０１３６】
（備考）
上記の映像受信部２０２、２０４、外部機器接続部２０６、ネットワーク受信部２０８は、映像入力部の一例である。上記の表示制御部２１０は、設定情報複製部の一例である。
【０１３７】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１３８】
例えば、上記の実施形態に係る説明の中で、説明の都合上、表示部１２２に一覧表示される設定情報の数が限られているものと仮定されていた。しかし、上記の実施形態に係る技術は、表示部１２２に表示される内容を横方向にスクロールさせるユーザインターフェースの下でも実施することが可能である。この場合、スクロールされることで表示部１２２に表示される設定情報の数は増加するが、一度に一覧表示される数は限られる。そのため、このような場合であっても、上記の実施形態に係る技術を適用することで、ユーザの利便性を格段に向上させる効果が得られる。
【０１３９】
また、上記の実施形態に係る説明の中で、相違設定検出部２２０により設定情報を順位付けし、その順位に従って設定情報管理部２１８により設定情報の列がソートされる技術について述べた。当該ソート処理を行うことは、同実施形態を適用することにより得られる効果を増大させるための構成であり、例えば、デフォルト設定された並び順に設定情報が配置されるように構成されていてもよい。この場合、設定情報の並び順は、例えば、ユーザにより手動で入れ替えられる。このように、設定情報、及び設定項目の並び順を入れ替える構成については種々の変形が可能である。
【図面の簡単な説明】
【０１４０】
【図１】入力元の違い及び設定情報の違いを示す説明図である。
【図２】設定画面の構成例を示す説明図である。
【図３】本発明の一実施形態に係る映像表示システムの構成例を示す説明図である。
【図４】同実施形態に係る映像表示装置のハードウェア構成例を示す説明図である。
【図５】同実施形態に係る映像表示装置の機能構成を示す説明図である。
【図６】同実施形態に係る設定情報の一例を示す説明図である。
【図７】同実施形態に係る設定画面の構成例を示す説明図である。
【図８】同実施形態に係る設定情報の複製方法の一例を示す説明図である。
【図９】同実施形態に係る設定情報の複製方法の一例を示す説明図である。
【図１０】同実施形態に係る設定情報の複製方法の一例を示す説明図である。
【図１１】同実施形態に係る設定情報の複製方法の一例を示す説明図である。
【図１２】同実施形態に係る設定情報の複製方法の一例を示す説明図である。
【図１３】同実施形態に係る設定情報の複製方法の一例を示す説明図である。
【図１４】同実施形態に係る設定情報の複製方法の一例を示す説明図である。
【図１５】同実施形態に係る設定情報の複製方法の一例を示す説明図である。
【図１６】同実施形態に係る設定情報の微調整方法を示す説明図である。
【符号の説明】
【０１４１】
１００    映像表示装置
１０２、１０４    受信回路
１０６、１１０    デマルチプレクサ
１０８    デスクランブル部
１１２    オーディオ処理部
１１４    データ処理部
１１６    ビデオ処理部
１１８    ＯＳＤ回路
１２０    合成回路
１２２    表示部
１２４    コントローラ
１３２、１４２    チューナ
１３４、１４４    復調部
１３６、１４６    誤り訂正部
１５２    ＣＰＵ
１５４    ＲＯＭ
１５６    ＲＡＭ
１５８    ＥＥＰＲＯＭ
１６０    ＤＲＡＭ
１６２    バス
２０２、２０４    映像受信部
２０６    外部機器接続部
２０８    ネットワーク受信部
２１０    表示制御部
２１２    記憶部
２１６    操作入力部
２１８    設定情報管理部
２２０    相違設定検出部
２２２    並び順テーブル記憶部
【図１】
2010114633.tif 000003
【図２】
2010114633.tif 000004
【図３】
2010114633.tif 000005
【図４】
2010114633.tif 000006
【図５】
2010114633.tif 000007
【図６】
2010114633.tif 000008
【図７】
2010114633.tif 000009
【図８】
2010114633.tif 000010
【図９】
2010114633.tif 000011
【図１０】
2010114633.tif 000012
【図１１】
2010114633.tif 000013
【図１２】
2010114633.tif 000014
【図１３】
2010114633.tif 000015
【図１４】
2010114633.tif 000016
【図１５】
2010114633.tif 000017
【図１６】
2010114633.tif 000018